(57)【要約】【課題】携帯電話装置の携帯性を改善すること。【解決手段】１つの態様において、携帯端末は、平板状の操作部と、外部に物理的に繋留する接続部と、スピーカ及びコントローラを含む本体と、を備える。前記操作部は、当該操作部の一部が前記本体から突出しており、前記コントローラは、前記操作部が前記本体から突出している方向に操作されると、前記スピーカから警告音を出力する。前記接続部は、前記本体と一体的に形成されたカラビナ構造を有する。【選択図】図１
2019041219.tif 000002
【特許請求の範囲】
【請求項１】
平板状の操作部と、外部に物理的に繋留する接続部と、スピーカ及びコントローラを含む本体と、を備え、
前記操作部は、当該操作部の一部が前記本体から突出しており、
前記コントローラは、前記操作部が前記本体から突出している方向に操作されると、前記スピーカから警告音を出力する携帯端末。
【請求項２】
前記操作部は可撓性を有する請求項１に記載の携帯端末。
【請求項３】
前記接続部は、前記本体と一体的に形成されたカラビナ構造を有する請求項１又は２に記載の携帯端末。
【請求項４】
前記本体はディスプレイを有し、
前記コントローラは、前記操作部が操作されると、前記ディスプレイに警告画面を表示させる請求項１から３のいずれか１つに記載の携帯端末。
【請求項５】
前記スピーカは、前記ディスプレイが設けられる前記本体の面に対向する反対の面に設けられる請求項１から４のいずれか１つに記載の携帯端末。
【発明の詳細な説明】
【技術分野】
【０００１】
本出願は、携帯端末に関する。
【背景技術】
【０００２】
従来、幼い子供及び学童などの身の安全等を確保することを目的として、ユーザが特定の操作を行うと防犯ブザーが鳴動し、現在の位置情報を所定の宛先に自動的に送信する、防犯効果のある携帯電話装置がある。
【先行技術文献】
【特許文献】
【０００３】
【特許文献１】特開２００７−１８０７８４号公報
【発明の概要】
【発明が解決しようとする課題】
【０００４】
上記携帯電話装置には携帯性に改善の余地がある。
【課題を解決するための手段】
【０００５】
１つの態様に係る携帯端末は、携帯端末は、平板状の操作部と、外部に物理的に繋留する接続部と、スピーカ及びコントローラを含む本体と、を備える。前記操作部は、当該操作部の一部が前記本体から突出しており、前記コントローラは、前記操作部が前記本体から突出している方向に操作されると、前記スピーカから警告音を出力する。
【図面の簡単な説明】
【０００６】
【図１】図１は、実施形態に係る携帯端末の外観の一例を示す図である。
【図２】図２は、実施形態に係る携帯端末の外観の一例を示す図である。
【図３】図３は、実施形態に係る携帯端末の外観の一例を示す図である。
【図４】図４は、実施形態に係る携帯端末の装着状況の一例を示す図である。
【図５】図５は、実施形態に係るブザースイッチの操作方法の一例を示す図である。
【図６】図６は、実施形態に係る携帯端末の機能構成の一例を示すブロック図である。
【図７】図７は、実施形態に係るコミュミケーションツールによる携帯端末の動作の概要を示す図である。
【図８】図８は、実施形態に係るコミュミケーションツールによる携帯端末の動作の概要を示す図である。
【図９】図９は、実施形態に係る携帯端末により実行される処理の一例を示すフローチャートである。
【図１０】図１０は、実施形態に係るブザースイッチの設置位置の他の例を示す図である。
【発明を実施するための形態】
【０００７】
本出願に係る実施形態を、図面を参照しつつ詳細に説明する。以下の説明において、同様の構成要素について同一の符号を付すことがある。さらに、重複する説明は省略することがある。
【０００８】
図１から図３は、実施形態に係る携帯端末の外観の一例を示す図である。図４は、実施形態に係る携帯端末の装着状況の一例を示す図である。図５は、実施形態に係るブザースイッチの操作方法の一例を示す図である。図１は、携帯端末１の正面を示す。図２は、携帯端末１の右側面を示す。図３は、携帯端末１の背面を示す。以下の説明において、携帯端末１を「自機」と表記する場合がある。以下の説明において、携帯端末１のユーザを単に「ユーザ」と表記する場合がある。
【０００９】
図１から図３に示すように、携帯端末１は、本体３０と、接続部３１と、ブザースイッチ３Ｂとを有する。本体３０は、接続部３１と一体の構造体である。本体３０は、例えば、携帯端末１を正面から見たとき、上部から下部に向かって滑らかに膨らんだティアドロップ型の平面形状を有している。
【００１０】
接続部３１は、携帯端末１を正面から見たとき、本体３０の右側にあたる外周部から滑らかに連続するリング状の部品３１Ａと、本体３０の左側にあたる外周部から連続する棒状の部品３１Ｂとで構成される。接続部３１は、部品３１Ｂが部品３１Ａに対して開閉自在なカラビナ構造を有する。接続部３１は、カラビナ構造によって、図４に例示するように、ユーザの衣類に自機を繋留できる。携帯端末１は、カラビナ構造により繋留することができれば、図４に例示する衣類に限らず、ベルト又は鞄などに繋留してもよい。
【００１１】
ブザースイッチ３Ｂは、その一部が本体３０から所定の方向（図１に示すｙ軸のマイナス方向に平行な方向）に突出している。ブザースイッチ３Ｂは、ユーザがつまんで操作しやすいようにある程度の広がりを持った平板状の構造を有する。ブザースイッチ３Ｂは、図５に例示するように、本体３０から突出している方向（以下、適宜「突出方向」と記載する）に、ユーザの手Ｈ１による引出操作を受け付けることができる。ブザースイッチ３Ｂは、剛性を有してもよいし、可撓性を有してもよい。
【００１２】
携帯端末１は、本体３０の正面（図１）に、ディスプレイ２Ａ、タッチスクリーン２Ｂ、レシーバ７及びカメラ（インカメラ）１２を有し、本体３０の右側面（図２）にキー３Ａを有し、本体３０の背面（図３）にスピーカ１１及びカメラ（アウトカメラ）１３を有する。
【００１３】
ディスプレイ２Ａ及びタッチスクリーン２Ｂはそれぞれ真円状の形状を有するが、ディスプレイ２Ａ及びタッチスクリーン２Ｂの形状はこれに限定されない。ディスプレイ２Ａ及びタッチスクリーン２Ｂは、それぞれが矩形又は楕円形などの形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。
【００１４】
図６は、実施形態に係る携帯端末の機能構成の一例を示すブロック図である。図６に示すように、携帯端末１は、ディスプレイ２Ａと、タッチスクリーン２Ｂと、キー３Ａと、ブザースイッチ３Ｂと、照度センサ４と、近接センサ５と、通信ユニット６と、レシーバ７と、マイク８と、ストレージ９と、コントローラ１０と、スピーカ１１と、カメラ（インカメラ）１２と、カメラ（アウトカメラ）１３と、コネクタ１４と、ＧＰＳ受信機１５とを有する。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等のオブジェクトを画面内に表示する。ディスプレイ２Ａが表示するオブジェクトを含む画面は、ロック画面と呼ばれる画面、ホーム画面と呼ばれる画面、アプリケーションの実行中に表示されるアプリケーション画面などを含む。ホーム画面は、デスクトップ、待受画面、アイドル画面、標準画面、アプリ一覧画面又はランチャー画面と呼ばれることもある。
【００１６】
タッチスクリーン２Ｂは、タッチスクリーン２Ｂに対する指、ペン、又はスタイラスペン等の接触又は近接を検出する。タッチスクリーン２Ｂは、複数の指、ペン、又はスタイラスペン等がタッチスクリーン２Ｂに接触又は近接したときのタッチスクリーン２Ｂ上の位置を検出することができる。以下の説明において、タッチスクリーン２Ｂが検出する複数の指、ペン、及びスタイラスペン等がタッチスクリーン２Ｂに接触又は近接した位置を「検出位置」と表記する。タッチスクリーン２Ｂは、タッチスクリーン２Ｂに対する指の接触又は近接を、検出位置とともにコントローラ１０に通知する。タッチスクリーン２Ｂは、検出位置の通知をもって接触又は近接の検出をコントローラ１０に通知してよい。
【００１７】
コントローラ１０は、タッチスクリーン２Ｂにより検出された接触又は近接、検出位置、検出位置の変化、接触又は近接が継続した時間、接触又は近接が検出された間隔、及び接触が検出された回数の少なくとも１つに基づいて、ジェスチャの種別を判別する。ジェスチャは、指を用いて、タッチスクリーン２Ｂに対して行われる操作である。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１８】
以下の説明では、１本の指により行われるジェスチャを「シングルタッチジェスチャ」と呼び、２本以上の指により行われるジェスチャを「マルチタッチジェスチャ」と呼ぶことがある。マルチタッチジェスチャは、例えば、ピンチインおよびピンチアウトを含む。タップ、フリックおよびスワイプ等は、１本の指で行われればシングルタッチジェスチャであり、２本以上の指で行われればマルチタッチジェスチャである。
【００１９】
コントローラ１０は、タッチスクリーン２Ｂを介して判別するこれらのジェスチャに従って動作を行う。このため、利用者にとって直感的で使いやすい操作性が実現される。判別されるジェスチャに従ってコントローラ１０が行う動作は、ディスプレイ２Ａに表示されている画面に応じて異なることがある。
【００２０】
タッチスクリーン２Ｂの検出方式は、静電容量方式、抵抗膜方式、表面弾性波方式、赤外線方式、及び荷重検出方式等の任意の方式でよい。
【００２１】
キー３Ａは、ユーザからの操作入力を受け付ける。キー３Ａは、電源投入及び画面表示などの各種コマンドの割当を有してよい。図６に示すキー３Ａ以外に、携帯端末１が備える機能に関連する複数のキーを備えてもよい。キー３Ａ等に対する操作は、例えば、クリック、ダブルクリック、トリプルクリック、プッシュ、及びマルチプッシュを含むが、これらに限定されない。
【００２２】
ブザースイッチ３Ｂは、防犯用のブザーを鳴動させる操作を受け付ける。ブザースイッチ３Ｂが突出方向に引出操作されると、ブザースイッチ３Ｂに接続する回路から警告音の鳴動を指示する信号がコントローラ１０に送出される。ブザースイッチ３Ｂは、操作部の一例である。
【００２３】
照度センサ４は、照度を検出する。照度は、照度センサ４の測定面の単位面積に入射する光束の値である。照度センサ４は、例えば、ディスプレイ２Ａの輝度の調整に用いられる。
【００２４】
近接センサ５は、近隣の物体の存在を非接触で検出する。近接センサ５は、赤外線を照射する発光素子と、発光素子から照射された赤外線の反射光を受光する受光素子を有する。照度センサ４及び近接センサ５は、１つのセンサとして構成されていてもよい。
【００２５】
通信ユニット６は、無線により通信する。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（登録商標）（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。通信ユニット６は、上述した通信規格の１つ又は複数をサポートしていてもよい。
【００２６】
レシーバ７は、コントローラ１０から送出される音信号を音として出力する。マイク８は、入力されるユーザの声等を音信号へ変換してコントローラ１０へ送信する。
【００２７】
ストレージ９は、プログラム及びデータを記憶する。ストレージ９は、コントローラ１０の処理結果を一時的に記憶する作業領域として利用されてもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２８】
ストレージ９に記憶されるプログラムには、フォアグランド又はバックグランドで実行されるアプリケーションと、アプリケーションの動作を支援する支援プログラム（図示略）とが含まれる。アプリケーションは、例えば、フォアグランドで実行される場合、当該アプリケーションに係る画面を、ディスプレイ２Ａに表示する。支援プログラムには、例えば、ＯＳ（Ｏｐｅｒａｔｉｎｇ  Ｓｙｓｔｅｍ）が含まれる。プログラムは、通信ユニット６による無線通信又は非一過的な記憶媒体を介してストレージ９にインストールされてもよい。
【００２９】
ストレージ９は、制御プログラム９Ａ、コミュニケーションツール９Ｂ、及び設定データ９Ｚなどを記憶できる。
【００３０】
制御プログラム９Ａは、携帯端末１の各種動作に関する処理を実現するための機能をそれぞれ提供できる。制御プログラム９Ａが提供する機能は、照度センサ４の検出結果に基づいて、ディスプレイ２Ａの輝度を調整する機能を含む。制御プログラム９Ａが提供する機能は、近接センサ５の検出結果に基づいて、タッチスクリーン２Ｂに対する操作を無効とする機能を含む。制御プログラム９Ａが提供する機能は、通信ユニット６、レシーバ７、及びマイク８等を制御することによって、通話を実現させる機能を含む。制御プログラム９Ａが提供する機能は、カメラ１２、及びカメラ１３の撮影処理を制御する機能を含む。制御プログラム９Ａが提供する機能は、コネクタ１４を介して接続される外部機器との間の通信を制御する機能を含む。制御プログラム９Ａが提供する機能は、タッチスクリーン２Ｂの検出結果に基づいて判別したジェスチャに応じて、ディスプレイ２Ａに表示されている情報を変更する等の各種制御を行う機能を含む。制御プログラム９Ａが提供する機能は、ＧＰＳ受信機１５より取得する信号に基づいて、現在位置に基づく処理を実行する機能を含む。
【００３１】
制御プログラム９Ａは、ブザースイッチ３Ｂに接続する回路から警告音の鳴動を指示する信号を受け付けると、スピーカ１１から警告音を出力させるための機能を提供できる。制御プログラム９Ａは、ブザースイッチ３Ｂに接続する回路から警告音の鳴動を指示する信号を受け付けると、ディスプレイ２Ａに警告画面を表示させるための機能を提供できる。
【００３２】
コミュニケーションツール９Ｂは、他の端末との間でメッセージ及び画像のやり取りを行うための機能を提供できる。コミュニケーションツール９Ｂは、携帯端末１で動作するメッセージングアプリケーションである。コミュニケーションツール９Ｂは、コミュニケーションツール９Ｂの実行画面をディスプレイ２Ａに表示できる。コミュニケーションツール９Ｂは、コミュニケーションツール９Ｂの実行画面をディスプレイ２Ａに表示できる。コミュニケーションツール９Ｂは、他の端末との間でやり取りされるメッセージ及び画像などを、ディスプレイ２Ａに表示できる。コミュニケーションツール９Ｂは、タッチスクリーン２Ｂの検出結果に基づいて、実行画面に対する操作に応じた処理を実行できる。コミュニケーションツール９Ｂは、メッセージ及び画像のやり取りを行う宛先の選択を受け付けることができる。コミュニケーションツール９Ｂは、送信可能な画像データの一覧を読み込んで実行画面に表示し、ユーザに選択させることができる。コミュニケーションツール９Ｂは、所定の操作を検出して、実行画面で選択中の画像を、選択中の宛先に送信できる。
【００３３】
図７及び図８を用いて、実施形態に係るコミュミケーションツールによる携帯端末の動作の概要を説明する。図７及び図８は、実施形態に係るコミュミケーションツールによる携帯端末の動作の概要を示す図である。携帯端末１は、コミュニケーションツール９Ｂを実行することにより、ディスプレイ２Ａに実行画面５０を表示できる。実行画面５０は、宛先５１、画像５２ａ，５２ｂ、送信アイコン５３を含む。携帯端末１は、実行画面５０に表示された送信アイコン５３に対する操作を検出して、例えば、実行画面５０に表示されている画像５２ａ（又は画像５３ｂ）を、選択中の宛先５１（他の端末１００）に送信できる。
【００３４】
設定データ９Ｚは、携帯端末１の動作に関する各種設定の情報を含む。設定データ９Ｚは、データファイル９１を含む。データファイル９１は、コミュニケーションツール９Ｂにより実行される処理に必要なデータを記録する。データファイル９１は、コミュニケーションツール９Ｂの実行画面５０を生成するためのデータ、コミュニケーションツール９Ｂで使用される画像を生成するためのデータ、コミュニケーションツール９Ｂにメッセージ及び画像のやり取りを行う宛先を設定するためのデータなどを含む。
【００３５】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、携帯端末１の動作を統括的に制御して各種の機能を実現する。
【００３６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、スピーカ１１及びＧＰＳ受信機１５を含むが、これらに限定されない。コントローラ１０は、検出部の検出結果に応じて、制御を変更することがある。検出部は、例えば、タッチスクリーン２Ｂ、ホームキー３Ａ、照度センサ４、近接センサ５、マイク８、カメラ１２、及びカメラ１３を含むが、これらに限定されない。
【００３７】
コントローラ１０は、制御プログラム９Ａを実行することにより、携帯端末１の動作に関する各種制御を実現できる。例えば、コントローラ１０は、照度センサ４の検出結果に基づいて、ディスプレイ２Ａの輝度を調整する処理を実行できる。例えば、コントローラ１０は、近接センサ５の検出結果に基づいて、タッチスクリーン２Ｂに対する操作を無効とする処理を実現できる。例えば、コントローラ１０は、通信ユニット６、レシーバ７、及びマイク８等を制御することによって、通話を実現させる処理を実現できる。例えば、コントローラ１０は、カメラ１２及びカメラ１３の撮影処理を制御する処理を実現できる。例えば、コントローラ１０は、コネクタ１４を介して接続される外部機器との間の通信を制御する処理を実現できる。例えば、コントローラ１０は、タッチスクリーン２Ｂの検出結果に基づいて判別したジェスチャに応じて、ディスプレイ２Ａに表示されている情報を変更する等の各種制御を行う処理を実現できる。例えば、コントローラ１０は、ＧＰＳ受信機１５より取得する信号に基づいて、現在位置に基づく処理を実行できる。
【００３８】
コントローラ１０は、制御プログラム９Ａを実行することにより、ブザースイッチ３Ｂに接続する回路から警告音の鳴動を指示する信号を受け付けて、スピーカ１１から警告音を出力させる処理を実現する。コントローラ１０は、制御プログラム９Ａを実行することにより、ザースイッチ３Ｂに接続する回路から警告音の鳴動を指示する信号を受け付けて、ディスプレイ２Ａに警告画面を表示させる処理を実現する。
【００３９】
コントローラ１０は、コミュニケーションツール９Ｂを実行することにより、他の端末との間でメッセージ及び画像のやり取りを行う処理を実現できる。
【００４０】
スピーカ１１は、コントローラ１０から送出される音信号を音として出力する。スピーカ１１は、例えば、着信音及び音楽を出力するために用いられる。レシーバ７及びスピーカ１１の一方が、他方の機能を兼ねてもよい。
【００４１】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態で携帯端末１に実装されてもよい。
【００４２】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＭＨＬ（Ｍｏｂｉｌｅ  Ｈｉｇｈ−ｄｉｆｉｎｉｔｉｏｎ  Ｌｉｎｋ）、ライトピーク（Ｌｉｇｈｔ  Ｐｅａｋ）、サンダーボルト（登録商標）（Ｔｈｕｎｄｅｒｂｏｌｔ）、ＬＡＮコネクタ（Ｌｏｃａｌ  Ａｒｅａ  Ｎｅｔｗｏｒｋ  ｃｏｎｎｅｃｔｏｒ）、イヤホンマイクコネクタのような汎用的な端子であってもよい。コネクタ１４は、Ｄｏｃｋコネクタのような専用に設計された端子でもよい。コネクタ１４に接続される装置は、例えば、充電器、外部ストレージ、スピーカ、通信装置、及び情報処理装置を含むが、これらに限定されない。
【００４３】
ＧＰＳ受信機１５は、ＧＰＳ衛星からの所定の周波数帯の電波信号を受信できる。ＧＰＳ受信機は、受信した電波信号の復調処理を行って、処理後の信号をコントローラ１０に送出する。
【００４４】
携帯端末１は、加速度センサを備えてもよい。加速度センサは、例えば携帯端末１に作用する加速度の方向及び大きさを検出できる。加速度センサは、Ｘ軸方向、Ｙ軸方向、及びＺ軸方向の加速度を検出する３軸型の加速度センサを採用できる。加速度センサは、ピエゾ抵抗型、静電容量型、圧電素子型（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、動作させた可動コイルをフィードバック電流により元に戻すサーボ式、あるいは歪みゲージ式などにより構成することができる。加速度センサは、検出結果をコントローラ１０に送出する。コントローラ１０は、加速度センサの検出結果に基づいて各種制御を実行できる。
【００４５】
携帯端末１は、方位センサを備えてもよい。方位センサは、地磁気の向きを検出できる。方位センサは、検出結果をコントローラ１０に送出する。コントローラ１０は、方位センサの検出結果に基づいて各種制御を実行できる。
【００４６】
携帯端末１は、角速度センサを備えてもよい。角速度センサは、携帯端末１の角速度を検出できる。角速度センサは、検出結果をコントローラ１０に送出する。コントローラ１０は、角速度センサの検出結果に基づいて各種制御を実行できる。
【００４７】
コントローラ１０は、加速度センサ、方位センサ、及び角速度センサの各検出結果を個別に利用する場合に限定されず、各検出結果を組み合わせて利用することもできる。
【００４８】
携帯端末１は、気圧センサを備えてもよい。気圧センサは、携帯端末１に作用する気圧を検出できる。気圧センサの検出結果は、単位時間あたりの気圧変化量を含んでよい。気圧変化量は、絶対値もしくはスカラー量を累積した値であってよい。単位時間は、任意の時間を設定してよい。気圧センサは、検出結果をコントローラ１０に送出する。
【００４９】
携帯端末１は、バイブレータを備えてもよい。バイブレータは、携帯端末１の一部又は全体を振動させる。バイブレータは、振動を発生させるために、例えば、圧電素子、又は偏心モータなどを有する。携帯端末１は、上述のセンサの他、温度センサ、湿度センサ、圧力センサなどを備えてもよい。携帯端末１は、バッテリーのように、携帯端末１の機能を維持するために当然に用いられる機能部、及び携帯端末１の制御を実現するために当然に用いられる検出部を実装する。
【００５０】
図９は、実施形態に係る携帯端末により実行される処理の一例を示すフローチャートである。図９に示す処理は、コントローラ１０が、制御プログラムを実行することにより実現される。
【００５１】
図９に示すように、コントローラ１０は、ブザースイッチ３Ｂが操作されたかを判定する（ステップＳ１０１）。コントローラ１０は、判定の結果、ブザースイッチ３Ｂが操作されていない場合（ステップＳ１０１，Ｎｏ）、図９に示す処理を終了する。
【００５２】
一方、コントローラ１０は、判定の結果、ブザースイッチ３Ｂが操作された場合（ステップＳ１０１，Ｙｅｓ）、スピーカ１１から警告音を出力し（ステップＳ１０２）、ディスプレイ２Ａに警告画面を表示して（ステップＳ１０３）、図９に示す処理を終了する。
【００５３】
上記の実施形態では、携帯端末１は、ユーザの衣類、ベルト又は鞄などに携帯端末１を繋留する接続部３１を備えるので、携帯端末１の携帯性を向上できる。
【００５４】
図１０は、実施形態に係るブザースイッチの設置位置の他の例を示す図である。ブザースイッチ３Ｂは、図１から図３などに示すように、例えば、携帯端末１を正面から見たときに、本体３０を介して、接続部３１に正対する位置に設ける場合に限定されない。例えば、図１０に示すように、接続部３１に正対する位置からずらした位置にブザースイッチ３Ｂを設けてもよい。これにより、ユーザの利き手に応じて、ブザースイッチ３Ｂを操作しやすくさせる効果が期待できる。図１０に示すように、接続部３１に正対する位置から、携帯端末１を正面から見たときの本体３０の左側（携帯端末１を背面から見た場合は本体３０の右側）にずらしてブザースイッチ３Ｂを設けることによって、図４に例示する態様で衣類に繋留される携帯端末１のブザースイッチ３Ｂは、利き手が右手のユーザであれば、操作しやすくなる可能性が高い。一方、左利きのユーザに対応する場合、本体３０の左側にブザースイッチ３Ｂを設けることで同様の効果が期待できる。
【００５５】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００５６】
１  携帯端末
２Ａ  ディスプレイ
２Ｂ  タッチスクリーン
３Ａ  キー
３Ｂ  ブザースイッチ
４  照度センサ
５  近接センサ
６  通信ユニット
７  レシーバ
８  マイク
９  ストレージ
９Ａ  制御プログラム
９Ｂ  ホームアプリケーション
９Ｚ  設定データ
１０  コントローラ
１１  スピーカ
１２  カメラ
１３  カメラ
１４  コネクタ
１５  ＧＰＳ受信機
【図１】
2019041219.tif 000003
【図２】
2019041219.tif 000004
【図３】
2019041219.tif 000005
【図４】
2019041219.tif 000006
【図５】
2019041219.tif 000007
【図６】
2019041219.tif 000008
【図７】
2019041219.tif 000009
【図８】
2019041219.tif 000010
【図９】
2019041219.tif 000011
【図１０】
2019041219.tif 000012